(57)【要約】【課題】本発明は、強制パターン保持装置により移行した下位ネットワークの強制制御状態を上位ネットワークより解除できる遠隔制御監視システムを提供することを目的とする。【解決手段】強制パターン保持装置１５が、その接点入力をＣＰＵ１０に通知すると、ＣＰＵ１０により、下位ネットワークＮｋが強制制御状態へ移行する。このとき、ＬＩＵ２３がＮＣＵ２２を通じてウェブサーバ２１に、下位ネットワークＮｋが強制制御状態に移行したことを通知する。このとき、システム管理者が、ウェブサーバ２１又はネットワーク端末装置２４を操作して、下位ネットワークＮｋに対して、その強制制御状態を一時的に解除するように指示したとき、ウェブサーバ２１より解除指令が下位ネットワークＮｋのＣＰＵ１０に与えられて、下位ネットワークＮｋの強制制御状態が一時的に解除される。【選択図】図１
2010239208.tif 000002
【特許請求の範囲】
【請求項１】
時分割多重伝送方式の通信により中央制御装置が負荷機器を制御する下位ネットワークと、該下位ネットワークに備えられるとともに該下位ネットワーク内の前記負荷機器の動作状態を決定する強制パターンを保持する強制パターン保持装置と、該下位ネットワークの通信を管理する中央制御装置と接続されて該下位ネットワークとの通信を行うネットワーク制御装置と、該ネットワーク制御装置と通信を行うとともに上位ネットワークに接続されたウェブサーバと、を備える、遠隔制御監視システムであって、
前記強制パターン保持装置に接点入力がなされて、前記下位ネットワークが前記強制パターンに基づく強制制御状態に移行しているときに、
前記ウェブサーバからの解除指令が前記ネットワーク制御装置を通じて前記下位ネットワークの前記中央制御装置に与えられたときは、前記負荷機器の強制動作状態が一時的に解除されることを特徴とする遠隔制御監視システム。
【請求項２】
請求項１において、
前記ウェブサーバが、前記下位ネットワークの強制制御状態を一時的に解除する解除時間を設定し、
前記ウェブサーバが、前記ネットワーク制御装置を通じて、前記解除指令を前記中央制御装置に送信すると、設定された前記解除時間の間、前記負荷機器の強制動作状態が解除されることを特徴とする遠隔制御監視システム。
【請求項３】
請求項１又は請求項２において、
前記ウェブサーバより送信される前記解除指令によって、強制動作状態が解除される負荷機器が、前記下位ネットワーク内の前記負荷機器の中から特定されることを特徴とする遠隔制御監視システム。
【請求項４】
請求項１乃至請求項３のいずれか一項において、
前記上位ネットワークを通じて前記ウェブサーバにアクセスするネットワーク端末装置を更に備え、
該ネットワーク端末装置が前記ウェブサーバにアクセスして、該ネットワーク端末装置が前記ウェブサーバに対して前記解除指令の送信を指示することを特徴とする遠隔制御監視システム。
【請求項５】
請求項１乃至請求項４のいずれか一項において、
前記ウェブサーバが、自機器への入力又は前記上位ネットワークからのアクセスに対して認証を行い、認証した利用者によるアクセス又は入力を受け付けたときにのみ、前記解除指令を送信可能とすることを特徴とする遠隔制御監視システム。
【請求項６】
請求項１乃至請求項５のいずれか一項の遠隔制御監視システムにおけるウェブサーバであって、
前記ネットワーク制御装置と通信を行う遠隔制御監視用通信インターフェースと、
上位ネットワークと接続される上位ネットワーク用通信インターフェースと、
前記解除指令を生成して、前記遠隔制御監視用通信インターフェースより前記ネットワーク制御装置に送信する解除指令生成部と、
を備えることを特徴とするウェブサーバ。
【請求項７】
請求項６において、
前記下位ネットワークが強制制御状態に移行したことを、前記遠隔制御監視用通信インターフェースで受信したとき、前記下位ネットワークが強制制御状態であることを外部に通知する通知部を、
更に備えることを特徴とするウェブサーバ。
【発明の詳細な説明】
【技術分野】
【０００１】
本発明は、階層化されたネットワークで構成された遠隔制御監視システム、及びこの遠隔制御監視システムにおけるウェブサーバに関するもので、特に、システム内の状態を強制制御状態へ移行させる強制パターン保持装置を有する遠隔制御監視システム、及びこの遠隔制御監視システムにおけるウェブサーバに関する。
【背景技術】
【０００２】
従来より、照明装置又は空調装置などといった負荷機器の制御や、警報器からの警報や電気錠の開閉状態といった接点状態の管理を行う遠隔制御監視システムにおいて、通信方式の異なる複数のネットワークで階層化した遠隔制御監視システムが提供されている。このような遠隔制御監視システムの１つとして、時分割多重伝送方式による通信方式を採用した下位ネットワークによって負荷機器を制御するとともに、ローカルバスネットワークで構築された上位ネットワークによって、接続した下位ネットワークを管理又は制御するものが提供されている（特許文献１及び特許文献２参照）。
【０００３】
即ち、中央制御装置（ＣＰＵ）によって伝送管理される時分割多重伝送方式による下位ネットワークそれぞれに対して、時分割多重伝送方式によるインターフェース機能と、ローカルバスネットワークのインターフェース機能とを具備したローカル制御装置（ＬＩＵ）が設置される。この下位ネットワークそれぞれに設置されたＬＩＵとの通信を管理するために、ネットワーク制御装置（ＮＣＵ）が設置される。そして、ＮＣＵは、更に上位のネットワーク階層と接続可能なインターフェース機能を備えることで、ウェブブラウザを搭載したパーソナルコンピュータなどの操作表示端末とローカルエリアネットワーク（ＬＡＮ）を構築するウェブサーバと接続される。
【０００４】
又、特許文献２では、その背景技術として、停電や火災発生時などの緊急時に、特定の負荷を他の端末器に優先して制御する強制制御を実行できる遠隔制御監視システムを、開示している。この特許文献２に開示されている遠隔制御監視システムは、下位ネットワークを構成する信号線に接点入力方式の強制パターン保持装置を接続し、この強制パターン保持装置への接点入力により強制制御を実現できる構成とされる。このような強制パターン保持装置を下位ネットワークに設置することで、例えば、緊急時において避難路の照明装置を点灯又は点滅するような強制制御が可能となる。
【先行技術文献】
【特許文献】
【０００５】
【特許文献１】特開２００５−２１７５５０号公報
【特許文献２】特開２００７−１７４８３７号公報
【発明の概要】
【発明が解決しようとする課題】
【０００６】
下位ネットワークと上位ネットワークとで階層化された遠隔制御監視システムにおいても、上述の強制パターン保持装置が下位ネットワークに組み込まれたものが、従来より提供されている。このような遠隔制御監視システムは、強制パターン保持装置に接点入力がなされて、下位ネットワークが強制制御状態へ移行したとき、上位ネットワークに設けられたウェブサーバにおいて、その強制制御状態を確認できる。しかしながら、強制パターン保持装置へ接点入力されて強制制御状態へ移行した場合、この強制パターン保持装置の接点状態を変更しなければ、強制制御状態を解除できない。そのため、強制制御状態の解除を行うために、強制パターン保持装置の接点を直接操作する必要があり、一時的に解除するような場合においては、その操作が煩雑なものとなる。
【０００７】
このような問題を鑑みて、本発明は、強制パターン保持装置により移行した下位ネットワークの強制制御状態を上位ネットワークより解除できる遠隔制御監視システムを提供することを目的とする。
【課題を解決するための手段】
【０００８】
上記目的を達成するために、本発明の遠隔制御監視システムは、時分割多重伝送方式の通信により中央制御装置が負荷機器を制御する下位ネットワークと、該下位ネットワークに備えられるとともに該下位ネットワーク内の前記負荷機器の動作状態を決定する強制パターンを保持する強制パターン保持装置と、該下位ネットワークの通信を管理する中央制御装置と接続されて該下位ネットワークとの通信を行うネットワーク制御装置と、該ネットワーク制御装置と通信を行うとともに上位ネットワークに接続されたウェブサーバと、を備える、遠隔制御監視システムであって、前記強制パターン保持装置に接点入力がなされて、前記下位ネットワークが前記強制パターンに基づく強制制御状態に移行しているときに、前記ウェブサーバからの解除指令が前記ネットワーク制御装置を通じて前記下位ネットワークの前記中央制御装置に与えられたときは、前記負荷機器の強制動作状態が一時的に解除されることを特徴とする。
【０００９】
このような遠隔制御監視システムにおいて、前記ウェブサーバが、前記下位ネットワークの強制制御状態を一時的に解除する解除時間を設定し、前記ウェブサーバが、前記ネットワーク制御装置を通じて、前記解除指令を前記中央制御装置に送信すると、設定された前記解除時間の間、前記負荷機器の強制動作状態が解除されるものとしてもよい。
【００１０】
又、前記ウェブサーバより送信される前記解除指令によって、強制動作状態が解除される負荷機器が、前記下位ネットワーク内の前記負荷機器の中から特定されるものとしてもよい。
【００１１】
更に、前記上位ネットワークを通じて前記ウェブサーバにアクセスするネットワーク端末装置を更に備え、該ネットワーク端末装置が前記ウェブサーバにアクセスして、該ネットワーク端末装置が前記ウェブサーバに対して前記解除指令の送信を指示するものとしてもよい。
【００１２】
そして、前記ウェブサーバが、自機器への入力又は前記上位ネットワークからのアクセスに対して認証を行い、認証した利用者によるアクセス又は入力を受け付けたときにのみ、前記解除指令を送信可能とするものとし、特定の利用者によって、前記ウェブサーバによる前記解除指令がなされるものとしてもよい。
【００１３】
又、本発明のウェブサーバは、上述のいずれかの遠隔制御監視システムにおけるウェブサーバであって、前記ネットワーク制御装置と通信を行う遠隔制御監視用通信インターフェースと、上位ネットワークと接続される上位ネットワーク用通信インターフェースと、前記解除指令を生成して、前記遠隔制御監視用通信インターフェースより前記ネットワーク制御装置に送信する解除指令生成部と、を備えることを特徴とする。
【００１４】
このようなウェブサーバにおいて、前記下位ネットワークが強制制御状態に移行したことを、前記遠隔制御監視用通信インターフェースで受信したとき、前記下位ネットワークが強制制御状態であることを外部に通知する通知部を、更に備えるものとしてもよい。
【発明の効果】
【００１５】
本発明によると、強制制御状態に移行した下位ネットワークに対して、この下位ネットワークを管理する上位ネットワークのウェブサーバから、強制制御状態の一時的な解除を指示できる。これにより、強制制御状態に移行した下位ネットワークについて、その強制制御状態を解除するために、強制パターン保持装置を直接操作する必要がなくなる。これにより、作業者が、強制パターン保持装置の設置現場まで向かう必要がなく、上位ネットワークから簡単な操作によって、目的とする負荷機器の強制動作状態の一時的な解除が可能となる。
【図面の簡単な説明】
【００１６】
【図１】は、本発明の各実施形態で共通となる遠隔制御監視システムの構成を示すブロック図である。
【図２】は、第１の実施形態の遠隔制御監視システムにおけるウェブサーバの機能構成を示すブロック図である。
【図３】は、認証動作を行う際の表示画面の構成を示す図である。
【図４】は、強制制御状態の通知画面を示す図であり、（ａ）がシステム利用者用の画面を示し、（ｂ）がシステム管理者用の画面を示す。
【図５】は、仮解除を指定するための画面の構成を示す図である。
【図６】は、仮解除時間を指定するための画面の構成を示す図である。
【図７】は、強制動作状態を解除する対象となる負荷機器を指定するための画面の構成を示す図である。
【図８】は、電子メール機能により仮解除する際の電子メールの内容を示す図であり、（ａ）がウェブサーバから送信される電子メールを示し、（ｂ）がウェブサーバへ返信される電子メールを示す。
【発明を実施するための形態】
【００１７】
本発明による遠隔制御監視システムについて、図面を参照して以下に説明する。図１は、以下の各実施形態で共通となる遠隔制御監視システムの構成を示すブロック図である。
【００１８】
１．遠隔制御監視システムの構成
図１に示す遠隔制御監視システムにおいて、下位ネットワークＮ１〜Ｎｎ（ｎは、自然数）が、信号線Ｌｓに時分割多重信号を周期的に出力する中央制御装置（ＣＰＵ）１０と、壁スイッチなどによる操作スイッチ１２の操作監視を行う複数のスイッチ端末装置１１と、照明装置や空調装置などの負荷機器１４を制御する制御端末装置１３と、接点入力があったときに強制的に設定する負荷機器１４の動作状態を示す強制パターンを保持する強制パターン保持装置１５と、によって構成される。
【００１９】
そして、下位ネットワークＮ１〜Ｎｎそれぞれには、信号線Ｌｓと接続されてＣＰＵ１０からの時分割多重信号を受信するローカル制御装置（ＬＩＵ）２３が設置される。このＬＩＵ２３は、下位ネットワークＮ１〜Ｎｎそれぞれにおいて、ＣＰＵ１０の端末装置として扱われるとともに、専用線Ｌｔとも接続してネットワーク制御装置（ＮＣＵ）２２と通信可能な構成とされる。又、ＮＣＵ２２は、上述のＬＩＵ２３と接続された上に、上位ネットワークにおけるウェブサーバ２１と通信線Ｌｕで接続される。
【００２０】
更に、ウェブサーバ２１は、ローカルエリアネットワークＬＮと接続し、ローカルエリアネットワークＬＮ上の端末装置と通信可能な構成となっている。そして、ローカルエリアネットワークＬＮには、パーソナルコンピュータなどによるネットワーク端末装置２４が接続され、このネットワーク端末装置２４は、ローカルエリアネットワークＬＮを通じて、ウェブサーバ２１と通信できる。尚、ローカルエリアネットワークＬＮは、インターネット回線網とも接続されるものとして、ウェブサーバ２１が、インターネット回線網を通じて、遠隔制御監視システム外部からアクセスできるものとしてもよい。
【００２１】
２．下位ネットワーク
このように構成される遠隔制御監視システムにおいて、下位ネットワークＮ１〜Ｎｎはそれぞれ、２線式の信号線Ｌｓを用いた双極性（±２４Ｖ）の時分割多重信号による時分割多重伝送方式を採用している。この時分割多重伝送方式による下位ネットワークＮ１〜Ｎｎでは、上述したように、商用電源ＡＣから給電されているＣＰＵ１０より時分割多重信号が周期的に送信される。この時分割多重信号は、同期パルス、信号のモードを示すモードデータ、送信相手となる（アクセスする）端末装置（スイッチ端末装置１１、制御端末装置１３、及びＬＩＵ２３に相当する）のアドレス（８ビット）を示すアドレスデータ、制御内容を示す制御データ、伝送誤りを検出するためのチェックサムデータ、及び、端末装置からの返信信号を返信させるためのタイムスロットである信号返送期間によって構成され、各データは、パルス幅変調によって形成される。
【００２２】
スイッチ端末装置１１、制御端末装置１３、強制パターン保持装置１５、及びＬＩＵ２３はそれぞれ、信号線Ｌｓを介して受信した時分割多重信号のアドレスデータが、それぞれに設定されているアドレスに一致すると、その時分割多重信号の制御データの内容を解析する。又、スイッチ端末装置１１、制御端末装置１３、強制パターン保持装置１５、及びＬＩＵ２３はそれぞれ、設定されているアドレスに一致したアドレスデータを含む時分割多重信号に対して、その信号返送期間に同期して監視データを電流モードの信号（信号線Ｌｓを適当な低インピーダンスを介して短絡することで送出される信号）として返送する。
【００２３】
尚、以下では説明を簡単にするため、各スイッチ端末装置１１はそれぞれ、操作スイッチ１２が１つのみ設けられた構成とするとともに、各制御端末装置１３はそれぞれ、負荷機器１４が１つのみを制御する構成とする。又、スイッチ端末装置１１及び制御端末器１３それぞれのアドレスは、操作スイッチ１２及び負荷機器１４それぞれに一対に対応している必要はなく、１台のスイッチ端末装置１１で複数の操作スイッチ１２を扱い、１台の制御端末装置１３で複数の負荷機器１４を扱うものとしてもよい。このとき、スイッチ端末装置１１及び制御端末装置１３それぞれにおいて、その操作スイッチ１２及び負荷機器１４のそれぞれを個別に認識するために、アドレスが階層化される。即ち、スイッチ端末装置１１及び制御端末装置１３に設定される端末用のアドレスの下位に、各操作スイッチ１２及び各負荷機器１４のそれぞれを個別に識別するための負荷番号が設定され、端末用のアドレスと負荷番号との組合せを上述のアドレスとして用いる。
【００２４】
ＣＰＵ１０は、アドレスデータによるアドレスをサイクリックに変化させた時分割多重信号を送信することで、スイッチ端末装置１１、制御端末装置１２、強制パターン保持装置１５、及びＬＩＵ２３それぞれを順次アクセスする常時ポーリングを行う。このような常時ポーリングがなされているときに、スイッチ端末装置１１は、操作スイッチ１２の操作により監視入力が発生すると、時分割多重信号のスタートパルスに同期して、割込信号を発生させる。この割込信号を受信したＣＰＵ１０は、割込信号を発生したスイッチ端末装置１１を探索するための割込ポーリングを行う。このとき、割込信号を送信したスイッチ端末装置１１は、割込ポーリングによってＣＰＵ１０に特定されると、操作スイッチ１２への操作に対応した監視データをＣＰＵ１０に返送する。
【００２５】
そして、ＣＰＵ１０は、割込信号を発生したスイッチ端末装置１１からの監視データを獲得すると、制御テーブルに設定されたアドレスの対応関係によってスイッチ端末装置１１に予め対応付けられている制御端末装置１３に対する制御データを生成する。その後、ＣＰＵ１０は、信号線Ｌｓを介して、この制御データと制御端末装置１３を指定するアドレスデータとを含む時分割多重信号を、制御端末装置１３に送信する。この時分割多重信号を受信した制御端末装置１３は、制御データに基づいて負荷機器１４の動作を制御する。又、制御端末装置１３は、負荷機器１４の動作状態を示す監視データをＣＰＵ１０に返送する。
【００２６】
ＣＰＵ１０は、この負荷機器１４の動作状態を示す監視データを制御端末装置１３より獲得すると、負荷機器１４に対応した操作スイッチ１２を備えたスイッチ端末装置１１に対して、負荷機器１４の動作状態を示す制御データを含む時分割多重信号を送信する。これにより、スイッチ端末装置１１は、その負荷機器１４に対応した操作スイッチ１２に設けた発光ダイオードを点灯／消灯させるなどして、負荷機器１４の動作状態を報知することができる。又、負荷機器１４の動作状態を示す監視データを獲得したＣＰＵ１０は、負荷機器１４の動作状態を示す制御データを含む時分割多重信号をＬＩＵ２３にも送信する。そして、ＬＩＵ２３がＮＣＵ２２と通信を行うことで、ＮＣＵ２２に、下位ネットワークＮ１〜Ｎｎそれぞれにおける各負荷機器１４の動作状態が通知される。
【００２７】
強制パターン保持装置１５は、物理的に有限な複数の接点入力端子を備え、例えば、センサによる検知などにより接点入力端子への接点入力がなされたとき（接点入力端子がＯＮの状態）、ＣＰＵ１０に対して強制制御状態への移行を要求する強制制御信号を出力する。この強制制御信号を出力するとき、強制パターン保持装置１５は、ＣＰＵ１０による常時ポーリングがなされているときに、送信される時分割多重信号のスタートパルスに同期して、割込信号を発生させる。
【００２８】
そして、ＣＰＵ１０は、強制パターン保持装置１５からの割込信号を受信すると、割込ポーリングを行って、割込信号を送信した強制パターン保持装置１５を特定する。このとき、割込信号を送信した強制パターン保持装置１５は、割込ポーリングによってＣＰＵ１０に特定されると、接点入力された接点入力端子に応じた強制制御信号を表す監視データをＣＰＵ１０に返送する。この強制パターン保持装置１５からの強制制御信号となる監視データを受けたＣＰＵ１０は、その強制制御信号に対応する強制パターンを認識する。尚、この強制パターンは、下位ネットワークＮｋ（ｋは、１≦ｋ≦ｎの整数）における負荷機器１４それぞれの動作状態を決定する強制パターンを示す。よって、この強制パターンに従った動作状態（強制動作状態）に負荷機器１４を制御することで、下位ネットワークＮｋは強制制御状態に移行する。
【００２９】
そして、ＣＰＵ１０は、強制パターン保持装置１５から受けた強制制御信号に基づく強制パターンに従って、制御端末装置１２に制御データを送信して、強制パターンによって決定される強制動作状態で各負荷機器１４を動作させる。又、ＣＰＵ１０は、スイッチ端末装置１１からの割込を遮断することで、スイッチ端末装置１１の操作スイッチ１２による負荷機器１４の制御の受付を禁止する。これにより、強制パターン保持装置１５に対して接点入力がなされると、強制パターンに従って各負荷機器の動作状態が強制的に決定されるとともに、スイッチ端末装置１１の操作スイッチ１２の操作による、負荷機器１４の制御が禁止される。更に、ＣＰＵ１０は、設定した強制パターンを示す制御データを含む時分割多重信号をＬＩＵ２３にも送信する。そして、ＬＩＵ２３がＮＣＵ２２と通信を行うことで、強制制御状態に移行した下位ネットワークＮｋとその強制パターンとが、ＮＣＵ２２に通知される。
【００３０】
ＬＩＵ２３は、下位ネットワークＮ１〜Ｎｎにおいて、スイッチ端末装置１１及び強制パターン保持装置１５と同様の動作を行う。即ち、ＣＰＵ１０による常時ポーリングがなされているときに、専用線Ｌｔを通じて、ＮＣＵ２２より負荷機器１４を制御するための信号を受信すると、時分割多重信号のスタートパルスに同期して、割込信号を発生させる。そして、ＬＩＵ２３は、ＣＰＵ１０による割込ポーリングに応答して、ＣＰＵ１０に割込した端末装置であることを特定させた後、ＮＣＵ２２より受信した信号の内容を示す監視データをＣＰＵ１０に返送する。
【００３１】
これにより、ＣＰＵ１０が、ＮＣＵ２２によって制御対象とされる負荷機器１４を制御するための制御データを含む時分割多重信号を、制御端末装置１３に送信するため、制御対象となる負荷機器１４の動作が制御端末装置１３を介して制御される。そして、負荷機器１４の動作を制御した制御端末装置１３が、負荷機器１４の動作状態を示す監視データをＣＰＵ１０に返送する。そのため、ＣＰＵ１０は、この監視データの内容に基づく制御データを含む時分割多重信号を生成し、監視データによって確認される負荷機器１４に対応する操作スイッチ１２を備えたスイッチ端末装置１１と、ＬＩＵ２３とのそれぞれに対して、送信する。
【００３２】
３．上位ネットワーク
上述のように下位ネットワークＮ１〜Ｎｎのそれぞれにおいて、時分割多重伝送方式によって通信を行っている各ＬＩＵ２３は、例えば、ＲＳ４８５仕様による専用線Ｌｔによって、ＮＣＵ２２と接続される。下位ネットワークＮ１〜ＮｎそれぞれにおけるＬＩＵ２３それぞれは、専用線Ｌｔを通じて、負荷機器１４を制御するための制御データをＮＣＵ２２から受信するとともに、負荷機器１４の動作状態を示す監視データをＮＣＵ２２に送信する。このように専用線Ｌｔによって接続されることでローカルバスネットワークを構築するＮＣＵ２２及びＬＣＵ２３は、商用電源ＡＣをトランスＴで変圧した電源が供給される。又、下位ネットワークＮ１〜Ｎｎそれぞれにおける、強制パターン保持装置１５についても、トランスＴを介して商用電源ＡＣからの電源が供給される。
【００３３】
又、ウェブサーバ２１とＮＣＵ２２との間を接続する通信線Ｌｕは、例えば、ＲＳ２３２Ｃ仕様の通信線とされる。このウェブサーバ２１及びネットワーク端末装置２４のそれぞれは、イーサネット（登録商標）などのネットワーク伝送路で構成されるローカルエリアネットワークＬＮに接続される。このように構成されるローカルバスネットワークとローカルエリアネットワークＬＮとによって、上位ネットワークが構成され、ウェブサーバ２１及びネットワーク端末装置２４それぞれにより、下位ネットワークＮ１〜Ｎｎの制御及び管理が為される。
【００３４】
このように構成される上位ネットワークのローカルバスネットワークでは、ＬＩＵ２３が、ＮＣＵ２２の端末装置として機能する。又、上位ネットワークの一部であるローカルエリアネットワークＬＮにおいて、ネットワーク端末装置２４がウェブサーバ２１の端末装置となるホストシステムが、構成される。そして、ローカルエリアネットワークＬＮにおけるホストシステムは、ローカルバスネットワークを介して、下位ネットワークＮ１〜Ｎｎにおける制御端末装置１３への制御指令を与えるとともに、下位ネットワークＮ１〜Ｎｎにおける負荷機器１４の動作状態に関する情報、及び強制パターン保護装置１５における接点入力の有無に関する情報を受信して管理できる。
【００３５】
このように構成される遠隔制御監視システムの第１〜第３の実施形態について、以下に説明する。以下の各実施形態の遠隔制御監視システムは、強制パターン保護装置において接点入力があり、その強制パターン保護装置を備えた下位ネットワークが強制制御状態となったときに、ウェブサーバにより強制制御状態を一時的に解除（仮解除）できる。そして、各実施形態において、ウェブサーバにより下位ネットワークの強制制御状態の仮解除のための構成が異なるため、以下の各実施形態では、この下位ネットワークの強制制御状態の仮解除のための構成を中心に説明する。
【００３６】
＜第１の実施形態＞
本発明の第１の実施形態となる遠隔制御監視システムについて、以下で、図面を参照して説明する。図２は、本実施形態の遠隔制御監視システムにおけるウェブサーバの機能構成を示すブロック図である。
【００３７】
本実施形態の遠隔制御監視システムに設置されるウェブサーバ２１は、図２に示すように、通信線Ｌｕと接続してＮＣＵ２２と通信を行う遠隔制御監視用通信インターフェース２１１と、ローカルエリアネットワークＬＮと接続してネットワーク端末装置２４と通信を行うＬＡＮ用通信インターフェース２１２と、外部からの入力を受け付けるキーボードやマウスなどによる操作部２１３と、強制制御状態に移行した下位ネットワークＮｋに対して強制制御状態を解除させるための解除指令を生成する解除指令生成部２１４と、ウェブサーバ２１に対するアクセスの認証を行う認証部２１５と、強制制御状態に移行した下位ネットワークＮｋを通知するための情報を生成する通知部２１６と、ウェブサーバ２１を構成する各ブロックを制御する制御部２１７と、を備える。
【００３８】
このような構成のウェブサーバ２１は、遠隔制御監視用通信インターフェース２１１でＮＣＵ２２と通信を行うことで、下位ネットワークＮ１〜Ｎｎそれぞれへの制御指令を送信するとともに、負荷機器１４の動作状態に関する情報や強制パターン保持装置１５における接点入力の有無に関する情報を受信する。そして、遠隔制御監視用通信インターフェース２１１が、ＮＣＵ２２より、強制制御状態へ移行した下位ネットワークＮｋを示す情報を受信すると、制御部２１６が、この情報を通知部２１６に与える。よって、通知部２１６は、強制制御状態へ移行した下位ネットワークＮｋと、その強制パターンとを記憶する。
【００３９】
操作部２１３で操作されて、強制制御状態へ移行した下位ネットワークＮｋについての通知が求められたとき、通知部２１６は、強制制御状態の下位ネットワークＮｋと、その強制パターンとを、ディスプレイ（不図示）に表示させる。これにより、ウェブサーバ２１は、ウェブサーバ２１を操作する利用者に対して、強制制御状態へ移行した下位ネットワークＮｋとその強制パターンとを通知できる。
【００４０】
又、ウェブサーバ２１が、ネットワーク端末装置２４からローカルエリアネットワークＬＮを介してアクセスされ、ネットワーク端末装置２４より、強制制御状態の下位ネットワークＮｋについて通知が求められると、強制制御状態の下位ネットワークＮｋと、その強制パターンとを示す情報を、ネットワーク端末装置２４に返信する。このとき、通知部２１６は、記憶している、強制制御状態の下位ネットワークＮｋとその強制パターンとを、制御部２１７に与える。そして、制御部２１７は、強制制御状態の下位ネットワークＮｋとその強制パターンとを示す情報を生成し、ＬＡＮ用インターフェース２１１より、ネットワーク端末装置２４に送信する。
【００４１】
このように、ウェブサーバ２１が、強制制御状態に移行した下位ネットワークＮｋを通知する際、その通知を求める、ウェブサーバ２１又はネットワーク端末装置２４の利用者に対して、通知の可否を決定するための認証がなされる。即ち、ウェブサーバ２１への直接の操作、又は、ネットワーク端末装置２４からのウェブブラウザを利用したウェブサーバ２１へのアクセスがなされると、アクセス要求者を認証するために、図３に示す認証画面が、ウェブサーバ２１又はネットワーク端末装置２４のディスプレイ上に表示される。この図３に示す認証画面には、アクセス要求者の個別番号（ＩＤ）及びパスワードを入力するための入力欄３０１，３０２が表示される。
【００４２】
そして、ウェブサーバ２１が直接操作される場合は、操作部２１３が操作されることにより、ウェブサーバ２１が、入力欄３０１，３０２に対するＩＤ及びパスワードの入力を受け付ける。又、ネットワーク端末装置２４からのアクセスの場合は、入力欄３０１，３０２に対して入力されたＩＤ及びパスワードが、ローカルエリアネットワークＬＮを介してウェブサーバ２１のＬＡＮ用インターフェース２１２に送信される。ウェブサーバ２１では、この入力欄３０１，３０２に入力されたＩＤ及びパスワードが、制御部２１７を介して認証部２１５に与えられる。
【００４３】
認証部２１５では、入力されたＩＤ及びパスワードと、既に記憶しているＩＤ及びパスワードとを対比することによって、ウェブサーバ２１へのアクセスを要求する利用者（アクセス要求者）を特定する。即ち、認証部２１５は、アクセス要求者が、システム管理者及び一般のシステム利用者のいずれに該当するのか認証する。このとき、アクセス要求者が、システム管理者及び一般のシステム利用者のいずれにも該当しない場合は、認証がなされず、アクセス要求者のアクセスを全て禁止する。又、アクセス要求者が、システム管理者及び一般のシステム利用者のいずれかに該当した場合は、ウェブサーバ２１は、通知部２１６による通知を許可する。更に、アクセス要求者が、遠隔制御監視システムの利用者において上位に位置する、システム管理者である場合、ウェブサーバ２１は、解除指令生成部２１４による解除指令についても許可する。
【００４４】
この認証部２１５の認証結果により、通知部２１６による通知が許可された場合、制御部２１７は、通知部２１６において、強制制御状態の下位ネットワークＮｋについて記憶しているか否かを確認する。このとき、強制制御状態の下位ネットワークＮｋを通知部２１６が記憶している場合は、ウェブサーバ２１は、強制制御状態の下位ネットワークがある旨の通知を行う。即ち、図４（ａ）又は図４（ｂ）に示すように、ウェブサーバ２１又はネットワーク端末装置２４のディスプレイ上に表示される画面の所定領域４０１に、強制制御状態となったことを示す表示がなされる。そして、システム管理者であることが認証された場合は、図４（ｂ）に示す画面のように、強制制御状態を一時的に解除させる指示を行うためのボタンＢが表示される。一方、認証したアクセス要求者が一般のシステム利用者である場合は、図４（ａ）に示す画面のように、システム管理者として認証された場合と異なり、ボタンＢは表示されない。
【００４５】
上述の図４（ａ）又は図４（ｂ）に示す画面により、強制制御状態の下位ネットワークＮｋがあることを通知する場合、強制制御状態に移行した下位ネットワークＮｋと、その強制パターンとが表示されるものとしてもよい。又、強制制御状態に移行した下位ネットワークＮｋの強制パターンについては、その強制パターンを設定するためのレベルにより表示されるものとしてもよい。更に、この強制パターンの表示については、強制動作状態となった負荷機器１４又はその負荷機器１４の設置エリアが表示されるものであってもよい。そして、この強制制御状態に移行した下位ネットワークＮｋの表示については、システム管理者によるアクセスを認証したときのみになされるものとしてもよい。
【００４６】
このように、強制制御状態に移行した下位ネットワークＮｋについての通知が表示されるとき、上述したように、システム管理者によるウェブサーバ２１へのアクセスの場合は、図４（ｂ）に示すボタンＢが表示される。このとき、システム管理者は、ウェブサーバ２１又はネットワーク端末装置２４に対して操作を行い、図４（ｂ）の画面上に同様に表示されるポインタＰによりボタンＢを指定して、強制制御状態を一時的に解除させることを指示する。即ち、システム管理者がウェブサーバ２１を操作している場合は、ウェブサーバ２１は、操作部２１３への操作を受け付けることによって、制御部２１７が、強制制御状態の一時的な解除（仮解除）の指示を認識する。又、システム管理者がネットワーク端末装置２４を操作している場合は、ウェブサーバ２１は、ＬＡＮ用インターフェース２１２でネットワーク端末装置２４からの指示を受信し、制御部２１７が、強制制御状態の一時的な解除（仮解除）の指示を認識する。
【００４７】
ウェブサーバ２１は、仮解除が指示されたことを認識すると、制御部２１７が、通知部２１６に記憶されている強制制御状態の下位ネットワークＮｋを確認し、強制制御状態となっている下位ネットワークＮｋのＬＩＵ２３の、ローカルバスネットワーク上におけるアドレスを示すユニット番号を、システム管理者に通知する。このとき、下位ネットワークＮ１〜Ｎ１０のうち、下位ネットワークＮ１，Ｎ３，Ｎ４，Ｎ１０が強制制御状態である場合、ウェブサーバ２１又はネットワーク端末装置２４のディスプレイ上の表示画面上において、図５に示すように、下位ネットワークＮ１，Ｎ３，Ｎ４，Ｎ１０それぞれにおけるＬＩＵ２３のユニット番号０１，０３，０４，１０に対して、その仮解除を設定するためのボタンＢ１〜Ｂ４が、表示される。
【００４８】
即ち、システム管理者がウェブサーバ２１を直接操作している場合は、ウェブサーバ２１のディスプレイ上に、図５に示す表示画面が表示される。又、システム管理者がネットワーク端末装置２４よりウェブサーバ２１にアクセスしている場合は、ウェブサーバ２１は、ＬＡＮ用インターフェース２１２より、強制制御状態である下位ネットワークＮ１，Ｎ３，Ｎ４，Ｎ１０それぞれにおけるＬＩＵ２３のユニット番号０１，０３，０４，１０を、ネットワーク端末装置２４に送信する。これにより、ネットワーク端末装置２４において、図５に示す表示画面が表示される。
【００４９】
そして、図５に示す表示画面が表示されている場合において、システム管理者がウェブサーバ２１又はネットワーク端末装置２４に対して操作を行い、同じく表示しているポインタＰによって、仮解除を求める下位ネットワークに対するボタンＢ１〜Ｂ４が指定される。即ち、ポインタＰによって指定されたボタンＢ１〜Ｂ４によって、仮解除の対象となる下位ネットワークＮ１，Ｎ３，Ｎ４，Ｎ１０のいずれかが指定される。例えば、ボタンＢ１が指定された場合、下位ネットワークＮ１が仮解除の対象に指定されたことを、ウェブサーバ２１が認識する。このとき、システム管理者がウェブサーバ２１を操作する場合は、操作部２１３への操作によって、仮解除の対象となる下位ネットワークが制御部２１７によって認識される。又、システム管理者がネットワーク端末装置２４によりウェブサーバにアクセスする場合は、ウェブサーバ２１は、仮解除の対象となる下位ネットワークに関する情報を、ＬＡＮ用インターフェース２１２で受信し、制御部２１７で認識する。
【００５０】
このようにして、仮解除の対象となる下位ネットワークＮｋがシステム管理者に指定されて、ウェブサーバ２１が制御部２１７で認識すると、解除指令生成部２１４が、認識した下位ネットワークＮｋを強制制御状態から一時的に解除するための解除指令を、生成する。この解除指令生成部２１４は、生成する解除指令を、仮解除の対象となる下位ネットワークＮｋのＬＩＵ２３に送信するために、その送信先となるＬＩＵ２３のユニット番号を解除指令に付加して、制御部２１７に与える。そして、制御部２１７は、解除指令生成部２１４で生成された解除指令を送信信号として、遠隔制御監視用通信インターフェース２１１より、通信線Ｌｕを介して、ＮＣＵ２２に送信する。
【００５１】
ＮＣＵ２２は、この解除指令による送信信号をウェブサーバ２１から受信すると、その解除指令に付加されているＬＩＵ２３のユニット番号を確認する。そして、ＮＣＵ２２は、そのユニット番号によって指定されるＬＩＵ２３に対して、専用線Ｌｔを介して、ウェブサーバ２１から受信した解除指令による送信信号を転送する。即ち、ＮＣＵ２２は、ウェブサーバ２１から受信した解除指令より、下位ネットワークＮｋが仮解除の対象とされていることを確認すると、この下位ネットワークＮｋのＬＩＵ２３に対して、解除指令を転送する。よって、仮解除の対象となる下位ネットワークＮｋのＬＩＵ２３が、ウェブサーバ２１からの、解除指令を示す送信信号を、ＮＣＵ２２を介して受信する。
【００５２】
このようにして、仮解除の対象となる下位ネットワークＮｋにおいて、ＬＩＵ２３が、ウェブサーバ２１からの解除指令を受信すると、上述したように、ＣＰＵ１０による常時ポーリングに対して割込信号を送信する。その後、ＬＩＵ２３は、ＣＰＵ１０による割込ポーリングに応答した後、受信した解除指令を示す監視データをＣＰＵ１０に返送する。よって、ＣＰＵ１０は、このＬＩＵ２３の割込動作により受信した監視データによって、ウェブサーバ２１からの解除指令を受信する。これにより、ＣＰＵ１０は、スイッチ端末装置１１からの割込を可能として、一時的に、強制パターン保持装置１５の接点が解除された状態に等しい状態とする。
【００５３】
よって、強制パターン保持装置１５の接点入力によって強制制御状態に移行している下位ネットワークＮｋは、ウェブサーバ２１からの解除指令に基づいて、強制制御状態が解除され、負荷機器１４の動作の変更が可能な状態となる。このとき、下位ネットワークＮｋのスイッチ端末装置１１により負荷機器１４の動作状態の制御が可能となるだけでなく、ウェブサーバ２１を通じて、下位ネットワークＮｋにおける負荷機器１４の制御も可能となる。その後、例えば、一定時間が経過するなどして、強制制御状態の一時的な解除が終了すると、下位ネットワークＮｋは、再び、強制パターン保持装置１５の接点入力に応じた強制制御状態に移行する。
【００５４】
＜第２の実施形態＞
本発明の第２の実施形態となる遠隔制御監視システムについて、以下で、図面を参照して説明する。本実施形態の遠隔制御監視システムは、第１の実施形態の遠隔制御監視システムと異なり、ウェブサーバ２１によって解除指令が送信されるとき、その強制制御状態を解除する時間がウェブサーバ２１により設定される。その他の動作及び構成については、第１の実施形態と同様であり、ウェブサーバ２１の構成についても、第１の実施形態と同様、図２のような構成となる。
【００５５】
本実施形態の遠隔制御監視システムにおいても、第１の実施形態と同様、強制制御状態に移行した下位ネットワークＮｋのＬＩＵ２３は、ＮＣＵ２２を介して、強制制御状態に移行したことをウェブサーバ２１に通知する。このとき、ウェブサーバ２１において、システム管理者又はシステム利用者のアクセスが認証されると、認証されたシステム管理者又はシステム利用者により操作されているウェブサーバ２１又はネットワーク端末装置２４において、そのディスプレイ上の画面に、強制制御状態となった旨の表示がなされる。即ち、システム利用者によるアクセスの場合は、図４（ａ）のような画面が、ウェブサーバ２１又はネットワーク端末装置２４のディスプレイ上に表示される。又、システム管理者によるアクセスの場合は、図４（ｂ）のような画面が、ウェブサーバ２１又はネットワーク端末装置２４のディスプレイ上に表示される。
【００５６】
よって、システム管理者がウェブサーバ２１にアクセスしている場合は、図４（ｂ）の画面が表示されることにより、仮解除を指示するためのボタンＢが、その画面上に表示されることとなる。このとき、このボタンＢがポインタＰにより指定されると、第１の実施形態と同様、仮解除の対象となる下位ネットワークを選択できるように、図５のような画面が、ウェブサーバ２１又はネットワーク端末装置２４のディスプレイ上に表示される。これにより、システム管理者によって、図５に表示されるボタンＢ１〜Ｂ４がポインタＰによって指定され、仮解除の対象とする下位ネットワークＮｋが指定される。
【００５７】
このようにして、仮解除の対象とする下位ネットワークＮｋが指定されると、本実施形態では、第１の実施形態と異なり、下位ネットワークＮｋの強制制御状態を解除する時間（仮解除時間）が設定される。このとき、システム管理者によって操作される、ウェブサーバ２１又はネットワーク端末装置２４のディスプレイ上において、図６に示すような画面が表示される。即ち、図６に示すように、例えば、仮解除時間として、「１時間」「３０分」「１０分」のいずれかから選択できるような表示がなされる。
【００５８】
このとき、設定する仮解除時間に対応したチェックボックスＣＨがチェックされることで、システム管理者によって指定される仮解除時間を、ウェブサーバ２１が認識する。尚、図６に示す表示画面のように、複数候補の時間より設定する仮解除時間を選択するものとしてもよいし、システム管理者が、ウェブサーバ２１又はネットワーク端末装置２４に対して、その時間を表す数値を入力することで、仮解除時間をウェブサーバ２１に認識させるものとしてもよい。
【００５９】
そして、システム管理者が、ウェブサーバ２１又はネットワーク端末装置２４により仮解除時間を指定すると、ウェブサーバ２１において、制御部２１７が、指定された仮解除時間を認識し、解除指令生成部２１４に与える。これにより、解除指令生成部２１４は、既に仮解除の対象として設定された下位ネットワークＮｋにおけるＬＩＵ２３のユニット番号を付加した仮解除指令に対して、更に、指定された仮解除時間を付加する。よって、制御部２１７は、送信先となるＬＩＵ２３のユニット番号と仮解除時間とが付加された解除指令による送信信号を生成し、遠隔制御監視用通信インターフェース２１１より、ＮＣＵ２２に送信する。
【００６０】
よって、仮解除の対象とされた下位ネットワークＮｋのＬＩＵ２３は、ＮＣＵ２２を介して、ウェブサーバ２１からの送信信号による解除指令を受ける。そして、この下位ネットワークＮｋでは、ＬＩＵ２３の割込動作によって、ＣＰＵ１０が、ウェブサーバ２１からの解除指令を受けることにより、スイッチ端末装置１１からの割込を可能にするなどして、下位ネットワークＮｋの強制制御状態を解除する。このとき、ＣＰＵ１０は、解除指令に付加されている仮解除時間を認識する。そのため、ＣＰＵ１０は、この解除指令を受けて、下位ネットワークＮｋの強制制御状態の解除を開始してから、その時間の経過を測定する。
【００６１】
そして、ＣＰＵ１０は、強制制御状態の解除が開始してから、仮解除時間により指定される時間が経過したことを確認すると、再び、下位ネットワークＮｋを強制制御状態へ移行させる。即ち、仮解除時間により指定された時間が経過すると、ＣＰＵ１０が、強制パターン保持装置１５における接点入力により指定される強制パターンを確認する。そして、ＣＰＵ１０は、制御端末装置１４に制御データを送信し、負荷機器１４を、強制パターン保持装置１５における接点入力により指定される強制パターンに応じた強制動作状態とするとともに、スイッチ端末装置１１からの割込を遮断する。尚、ウェブサーバ２１、ＮＣＵ２２、及びＬＩＵ２３のいずれかが、仮解除時間の経過を測定した後、仮解除となっている下位ネットワークＮｋのＣＰＵ１０に対して、下位ネットワークＮｋの強制制御状態への復帰を要求するものとしてもよい。
【００６２】
＜第３の実施形態＞
本発明の第３の実施形態となる遠隔制御監視システムについて、以下で、図面を参照して説明する。本実施形態の遠隔制御監視システムは、第１の実施形態の遠隔制御監視システムと異なり、ウェブサーバ２１によって解除指令が送信されるとき、強制動作状態を解除する負荷機器１４がウェブサーバ２１により指定できる。その他の動作及び構成については、第１の実施形態と同様であり、ウェブサーバ２１の構成についても、第１の実施形態と同様、図２のような構成となる。
【００６３】
本実施形態の遠隔制御監視システムにおいても、第１及び第２の実施形態と同様、ウェブサーバ２１へのアクセスが認証されたシステム利用者又はシステム管理者により操作されているウェブサーバ２１又はネットワーク端末装置２４は、そのディスプレイ上に、図４（ａ）又は図４（ｂ）のような画面を表示し、強制制御状態となったことを通知する。よって、システム管理者によりウェブサーバ２１がアクセスされるときは、図４（ｂ）のような画面が表示され、仮解除を指示するためのボタンＢが、ウェブサーバ２１又はネットワーク端末装置２４のディスレプレイ上に表示される。
【００６４】
図４（ｂ）のような画面が表示されているとき、ポインタＰによりボタンＢが指定されて、システム管理者が、ウェブサーバ２１に対して仮解除を要求すると、強制動作状態を解除する対象となる負荷機器１４を指定するために、図７のような画面が、ウェブサーバ２１又はネットワーク端末装置２４のディスレプレイ上に表示される。図７に示す画面上には、仮解除の対象となる下位ネットワークＮｋのＬＩＵ２３を指定するためのＬＩＵ指定用入力欄７０１と、仮解除の対象となる負荷機器１４を制御するためのアドレスを指定するための機器指定用入力欄７０２と、指定された負荷機器１４の表示欄７０３とが、表示される。
【００６５】
即ち、図７の画面では、ＬＩＵ指定用入力欄７０１が、仮解除の対象となる下位ネットワークＮｋのＬＩＵ２３のユニット番号を選択するためのドロップダウンメニューＤ１と、ドロップダウンメニューＤ１で選択されたユニット番号を決定するためのボタンＢ１１とによって構成される。又、機器指定用入力欄７０２が、制御端末装置１３に対して設定された負荷機器１４の制御用のアドレスを選択するためのドロップダウンメニューＤ２と、ドロップダウンメニューＤ２で選択されたアドレスを決定するためのボタンＢ２１とによって構成される。このとき、下位ネットワークＮｋにおいて、複数の負荷機器１４を同時に制御するグループ制御や、全ての負荷機器１４を所定の動作状態パターンとするパターン制御が行われる場合、ドロップダウンメニューＤ２により、そのグループ制御又はパターン制御のためのアドレスも選択できるものとしてもよい。
【００６６】
そして、図７の画面が表示されているとき、システム管理者は、ウェブサーバ２１又はネットワーク端末装置２４を操作して、ドロップダウンメニューＤ１より、ＬＩＵ２３のユニット番号を選択し、ボタンＢ１１を指定する。このとき、ドロップダウンメニューＤ１には、強制制御状態に移行した下位ネットワークに対応したユニット番号のみが表記されて、強制制御状態に移行していない、通常状態の下位ネットワークについては選択できない構成となっている。これにより、システム管理者は、ＬＩＵ指定用入力欄７０１に対して、仮解除の対象となる下位ネットワークＮｋのＬＩＵ２３のユニット番号を入力する。ウェブサーバ２１は、システム管理者によって入力されたＬＩＵ２３のユニット番号を制御部２１７で受けることにより、仮解除の対象となる下位ネットワークＮｋを認識する。
【００６７】
このように、ウェブサーバ２１は、システム管理者によって仮解除が指定される下位ネットワークＮｋを制御部２１７で認識すると、下位ネットワークＮｋにおける負荷機器１４を制御するためのアドレス群を通知部２１６から読み出す。そして、ウェブサーバ２１にシステム管理者が直接アクセスしている場合は、ウェブサーバ２１のディスプレイ上に表示されている図７のような画面において、その機器指定用入力欄７０２のドロップダウンメニューＤ２として、読み出されたアドレス群が表記される。又、システム管理者がネットワーク端末装置２４を操作している場合は、通知部２１６から読み出されたアドレス群が、ＬＡＮ用インターフェース２１２を介してネットワーク端末装置２４に送信される。よって、ネットワーク端末装置２４のディスプレイ上の図７に示す画面において、その機器指定用入力欄７０２のドロップダウンメニューＤ２として、ウェブサーバ２１から送信されたアドレス群が表記される。
【００６８】
このように、強制動作状態の解除対象とする負荷機器１４を指定するためのアドレス群がドロップダウンメニューＤ２に表記可能な状態となると、システム管理者は、ウェブサーバ２１又はネットワーク端末装置２４を操作して、機器指定用入力欄２０２に対して、仮解除の対象とする負荷機器１４に対するアドレスを入力する。このとき、システム管理者は、ドロップダウンメニューＤ２のアドレス群より、負荷機器１４に対するアドレスを選択し、ボタンＢ２１を指定して、仮解除の対象とする負荷機器１４に対するアドレスを入力する。このようにして入力されたアドレスが、ウェブサーバ２１の制御部２１７に通知され、ウェブサーバ２１は、制御部２１７において、その強制動作状態を一時的に解除する負荷機器１４を認識する。尚、仮解錠の対象とする負荷機器１４に対応したアドレスの選択については、複数のアドレスが選択されるものであってもよい。
【００６９】
そして、ウェブサーバ２１は、解除指令生成部２１４において、先に認識した下位ネットワークＮｋのＬＩＵ２３のユニット番号と、その強制動作状態を一時的に解除する負荷機器１４に対応したアドレスとを、生成した解除指令に付加する。そして、遠隔制御監視用通信インターフェース２１１は、制御部２１１を介して解除指令生成部２１４より与えられた解除指令を、ＮＣＵ２２を介して、仮解除の対象となる下位ネットワークＮｋのＬＩＵ２３に送信する。これにより、仮解除の対象となる下位ネットワークＮｋのＬＩＵ２３は、仮解除の対象となる負荷機器１４に対応したアドレスが付加された解除指令を受信し、ＣＰＵ１０に通知する。
【００７０】
ＣＰＵ１０は、ＬＩＵ２３が割込動作により通知した解除指令を受けると、その解除指令に付加された、仮解除の対象となる負荷機器１４を制御するための制御端末装置１３に対するアドレスを認識する。これにより、仮解除の対象となる負荷機器１４の制御を可能な状態とするため、認識したアドレスに対応した負荷機器１４の動作の変更が可能な状態とされる。このとき、認識したアドレスに対応したスイッチ１２による遠隔制御が可能となるように、ＣＰＵ１０は、スイッチ端末装置１１に対して、認識したアドレスに対応したスイッチ１２への操作による割込を許可する。又、ウェブサーバ２１を通じて、下位ネットワークＮｋにおける、仮解除の対象となる負荷機器１４の制御も可能となる。
【００７１】
尚、本実施形態において、図４（ｂ）の画面における、ボタンＢが指定されたときに、仮解除の対象となる負荷機器１４を選択するための図７のような画面に表示が変更するものとしたが、図４（ｂ）の画面上において、図７のような画面に表示を切り換えるためのボタンを、ボタンＢとは別に表示されるものとしてもよい。即ち、仮解除の対象となる負荷機器１４を選択指定するためのボタンを、仮解除の指令を送信するためのボタンＢとは別に設置するものとする。よって、ボタンＢだけが指定された場合は、強制制御状態に移行した下位ネットワークＮｋ全体に対して、仮解除が指示されたものとして動作する。そして、その強制動作状態が一時的に解除される負荷機器１４が指定される場合は、ボタンＢとは別のボタンが指定されて、仮解除の対象となる負荷機器１４に対応するアドレスが選択された後に、ボタンＢが指定されるなどして、仮解除の指示がなされる。
【００７２】
又、本実施形態において、第２の実施形態と同様、仮解除時間を設定できる構成とし、仮解除の対象となる負荷機器１４に対して、その強制動作状態が解除される時間を設定できるものとしてもよい。このとき、図７のような画面表示がなされた後に、図６のような画面表示がなされるものであってもよいし、図６のような画面表示がなされた後に、図７のような画面表示がなされるものであってもよい。更に、複数の負荷機器１４を仮解除とする場合、その仮解除の対象となる複数の負荷機器１４それぞれに対して、異なる仮解除時間が設定されるものとしてもよい。
【００７３】
更に、第１〜第３の実施形態において、ネットワーク端末装置２４によりウェブサーバ２１へシステム管理者がアクセスした場合、ウェブブラウザを使用して、仮解除を指定できる構成としたが、ネットワーク端末装置２４の電子メール機能を利用して、仮解除を指定できるものとしてもよい。このとき、下位ネットワークＮｋのＬＩＵ２３が、下位ネットワークＮｋが強制制御状態に移行したことを、ＮＣＵ２２を介してウェブサーバ２１に通知すると、ウェブサーバ２１は、図８（ａ）に示すように、通知を行ったＬＩＵ２３のユニット番号とその強制パターンを示すメール本文を備えた、電子メールを生成する。即ち、ウェブサーバ２１は、強制制御状態になった下位ネットワークＮｋを示す電子メール（強制制御通知用の電子メール）を作成し、不図示のメールサーバに送信する。尚、この電子メールの送信先アドレスは、システム管理者に割り当てられたメールアドレスとする。
【００７４】
システム管理者がネットワーク端末装置２４におけるメーラを操作し、メールサーバへアクセスすると、メールサーバに格納されたシステム管理者宛の電子メールが、メールサーバからネットワーク端末装置２４に送信される。このとき、ネットワーク端末装置２４は、上述の強制制御通知用の電子メールを受信すると、そのディスプレイ上に、図８（ａ）に示すようなメール本文を表示する。尚、この強制制御通知用の電子メールのタイトルは、図８（ａ）に示すように、「強制制御状態発生」などとし、強制制御状態に移行したことを通知できる内容とすることが好ましい。
【００７５】
そして、システム管理者は、ネットワーク端末装置２４を操作して、この強制制御通知用の電子メースに対して返信メールを作成し、ウェブサーバ２１に対して送信する。このウェブサーバ２１への返信メールは、図８（ｂ）に示すように、そのメール本文に、システム管理者のＩＤとパスワードとが記入された構成となる。ウェブサーバ２１は、図８（ｂ）に示すメール本文を備えた返信メールを受信すると、システム管理者のＩＤとパスワードを認識し、返信メールを送信した送信者であるシステム管理者の認証を行う。この認証結果により、仮解除を指示可能なシステム管理者であることを認証すると、ウェブサーバ２１は、メール本文中に記載のユニット番号のＬＩＵ２３に対して、ＮＣＵ２２を通じて、解除指令を送信する。
【００７６】
このようにメール機能を利用して、仮解除が可能な構成としたとき、第２の実施形態のように、仮解除時間の設定が可能な場合は、上述の返信メールのメール本文中に、仮解除時間が含まれるものとすることで実現できる。又、第３の実施形態のように、仮解除する負荷機器１４の選択が可能な場合は、上述の返信メールのメール本文中に、仮解除の対象とする負荷機器１４に対応したアドレスが含まれるものとすることで実現できる。
【符号の説明】
【００７７】
１０              中央制御装置（ＣＰＵ）
１１              スイッチ端末装置
１２              操作スイッチ
１３              制御端末装置
１４              負荷機器
１５              強制パターン保持装置
２１              ウェブサーバ
２２              ネットワーク制御装置（ＮＣＵ）
２３              ローカル制御装置（ＬＩＵ）
２４              ネットワーク端末装置
２１１            遠隔制御監視用通信インターフェース
２１２            ＬＡＮ用通信インターフェース
２１３            操作部
２１４            解除指令生成部
２１５            認証部
２１６            通知部
２１７            制御部
【図１】
2010239208.tif 000003
【図２】
2010239208.tif 000004
【図３】
2010239208.tif 000005
【図４】
2010239208.tif 000006
【図５】
2010239208.tif 000007
【図６】
2010239208.tif 000008
【図７】
2010239208.tif 000009
【図８】
2010239208.tif 000010